(57)【要約】【課題】  改造した家庭用のテレビリモコンなどを使って、呼び出しランプユニットの表示を改ざんする悪戯に対し、解錠用リモコンの高いセキュリティ機能を利用して防止する。【解決手段】  解錠用リモコンＡに、呼び出しランプ用のリモコンから送信される信号を学習させることにより、解錠操作をする場合は、（ａ）に示すように、解錠用リモコン装置の受信部ａに向け、解錠信号と識別信号とを送信し、呼び出しランプユニットの、例えば点灯している呼び出しランプを消灯させるには、（ｂ）に示すように呼び出しランプユニットの受信部ｂに向けてリセット信号と識別信号とを送信する。識別信号は受信機にて照合され、合致しなければ解錠動作とランプの消灯とは、いずれも拒否される。【選択図】  図２
2006141879.tif 000002
【特許請求の範囲】
【請求項１】
呼び出しランプ用リモコンと、解錠用リモコンのうち、固有の識別信号が記憶されている少なくとも一方のリモコンに、他方のリモコンの送信信号を記憶してその記憶した送信信号を、前記識別信号と共に再送信可能とする学習機能を組み込むと共に、その一方のリモコンに対応した受信機にて照合した識別信号の照合結果を、他方の送信用リモコンに対応した受信機に反映させたことを特徴とする遊技機用リモコン装置。
【請求項２】
呼び出しランプ用リモコンと解錠用リモコンとの相互間において、一方のリモコンは、他方のリモコンから送信された送信データをダイレクトに受信して記憶する請求項１に記載の遊技機用リモコン装置。
【請求項３】
一方のリモコンとして、解錠用リモコンを選択する請求項１又は２に記載の遊技機用リモコン装置。
【請求項４】
固有の識別信号に、リモコンの個体情報や使用者の個人情報を採用した請求項１〜３のいずれかに記載の遊技機用リモコン装置。
【発明の詳細な説明】
【技術分野】
【０００１】
本発明は、パチンコ、スロットマシンなどの遊技機に装備されている解錠機構の操作と、その遊技機とセットにして各島に配置される呼び出しランプユニットの操作とに共用できる遊技機用リモコン装置に関する。
【背景技術】
【０００２】
遊技機は、盤面や回転リールの表示部を覆っているガラス窓、盤面の周囲を固定している枠体が、基枠に対してヒンジにより片開き可能に取り付けられており、それらのガラス窓や枠体を前面側より開き、裏側のメカニズムを調整可能な構造になっている。
それらガラス窓や枠体は例えば特許文献１に開示のような施錠機構によってロックされており、必要に応じて解錠機構を操作すれば、ロックを解除することができる。
又、遊技機には、キーを鍵穴に差し込んで回動操作する手動式の解錠機構が標準装備されているが、その解錠機構は製造会社や機種ごとにキーの形状が異なるので、ホールに設置する際にはすべての解錠機構を一種類の統一キーで操作できるように交換するのが一般的である。
更に、その交換用の解錠機構として、最近は、特許文献２に記載のように、作業者の負担を軽減すべく、リモコンから送信された赤外線などの信号に応答するリモコン装置を介して駆動される電動式が採用されている。
一方、ホールに設置された遊技機には、必ず遊技機とセットで呼び出しランプユニットが配置されていて、その呼び出しランプユニットは、単に係員を呼ぶためのみにとどまらず、リモコンの操作で各種の表示をする機能が組み込まれるようにもなってきている。
そのためこの呼び出しランプユニットにも、リモコンによって遠隔操作可能な機種を採用するホールが急増している。
そのため従業員は、解錠機構を操作する解錠用リモコンと、呼び出しランプユニットを操作する呼び出しランプ用リモコンとの２種類を持ち歩き、ホールは作業員数の倍の個数を管理しなくてはならない状況にある。
【０００３】
【特許文献１】特許公開２０００−２７１３２２号公報
【特許文献２】実開平８−２７１１号公報
【発明の開示】
【発明が解決しようとする課題】
【０００４】
呼び出しランプ用リモコンと解錠用リモコンとが個々に有している機能をすべて備えた１つのリモコンがあれば、リモコン管理の手間は半減されるし、持ち運びも楽になる。
しかも、遊技機の解錠機構を操作するリモコン装置は、リモコン管理の徹底は勿論のこと、そのリモコンから送信された信号に含まれている識別情報を受信機にて照合し、その結果、正しい識別情報が含まれていない解錠信号は受け付けないなどのセキュリティ対策が施されているので、比較的セキュリティ対策の乏しい呼び出しランプユニットのセキュリティレベル向上効果も期待できる。
しかし、遊技機は遊技機専門の業者が、又、交換する統一キーは交換用キー専門業者が更に、呼び出しランプは呼び出しランプ専門業者が製造販売しているのが実情であって、一部のメーカーを除いては、各社、互いに激しい開発競争に明け暮れている。
新規開店のホールで共用のリモコンを採用するためには、設置される機種の組み合わせに応じた共用のリモコンを特別注文しなくてはならないし、新装開店のホールでは、機種が変わる度にリモコンの交換が必要になってしまうので、遊技機業界では、統一リモコンの普及が遅れている。
よって大半のホールでは、図３に示すように、解錠信号と識別信号とを送信する解錠用リモコンＡは、解錠機構の受信部ｂに向けて操作し、リセット信号などを送信する呼び出しランプ用リモコンＢは呼び出しランプユニットの受信部ａに向けて操作していた。
【課題を解決するための手段】
【０００５】
本発明は、テレビの学習リモコンにヒントを得、遊技機業界において、統一リモコンの普及促進を可能とした遊技機用リモコン装置であって、その構成は、呼び出しランプ用リモコンと、解錠用リモコンのうち、固有の識別信号が記憶されている少なくとも一方のリモコンに、他方のリモコンの送信信号を記憶してその記憶した送信信号を、前記識別信号と共に再送信可能とする学習機能を組み込むと共に、その一方のリモコンに対応した受信機にて照合した識別信号の照合結果を、他方の送信用リモコンに対応した受信機に反映させることにある。
【０００６】
呼び出しランプ用リモコンと解錠用リモコンとの相互間においては、一方のリモコンが、他方のリモコンから送信された送信データをダイレクトに受信して記憶させることができ、又、その一方のリモコンには、解錠用リモコンを選択することが望ましい。
又、固有の識別信号には、ＩＤ番号、指紋等、リモコンの個体情報や使用者の個人情報を候補として挙げることができる。
【発明の効果】
【０００７】
今日、学習機能を備えたテレビ用のリモコンが広く普及しているが、そのテレビ用リモコンに記憶させた解錠用リモコンや呼び出しランプ用リモコンの送信信号で一部の機能操作が可能になってしまうことは否定できない。
しかし本発明の遊技機用リモコンは、一方のリモコン操作のみで解錠操作と呼び出しランプユニットに関するすべての操作が可能となるばかりでなく、一方のリモコンに対応した受信機にて照合した識別信号の照合結果が、他方の送信用リモコンに対応した受信機反映されるので、セキュリティ対策が強化され、施錠装置に対する防犯対策は勿論、呼び出しランプユニットの表示を改ざんするなどの悪戯も防止できる。
【０００８】
そして、呼び出しランプ用リモコンと解錠用リモコンとの相互間においては、一方のリモコンが、他方のリモコンから送信された送信データをダイレクトに受信して記憶させるようにすれば、他方のリモコンさえあれば、信号データの情報を知らなくても学習させることができる。
又、一方のリモコンに、学習機能が含まれるリモコンとして解錠用が選択されれば、その解錠用リモコンには最初から高いセキュリティが設定されているので、呼び出しランプ用リモコンに新たなセキュリティ手段が追加される。
更に、固有の識別信号に、ＩＤ番号、指紋等、リモコンの個体情報や使用者の個人情報が採用されれば、使用されたリモコンや使用者の特定を簡単にできる。
【発明を実施するための最良の形態】
【０００９】
本発明に係る遊技機用リモコン装置を図面に基づいて説明する。
図１はリモコン相互間にて学習機能の操作例を示したもので、Ａは解錠用リモコン、Ｂは呼び出しランプ用リモコンである。
解錠用リモコンＡには、ガラス窓と枠体用の解錠ボタン１，２に加え、記憶ボタン３とメニューボタン４とが設けられていて、前記解錠ボタン１又は２を単独で押すことにより、従来と同様、解錠信号と予め記憶させてある識別信号とが送信されるようになっていると共に、記憶ボタン３を押すことによって、受信した信号が内蔵したメモリに記憶されるようになっている。
対する他方の呼び出しランプ用リモコンＢは従来品であって、係員を呼ぶために点灯されたランプを、係員の到着により消灯させるために利用するリセットボタン５を始めとした各種の機能ボタンが設けられている。
【００１０】
ここで学習機能を発揮させるには、先ず解錠用リモコンＡと呼び出しランプ用リモコンＢの送信部を向かい合わせ、解錠用リモコンＡの記憶ボタン３を押した状態で、記憶させたい信号を、呼び出しランプ用リモコンＢの例えばリセットボタン５を選択して押すことにより、リセット信号のパターンを解錠用リモコンＡに取り込む。
リセットボタン５以外のボタンについても同様の操作を繰り返せば、呼び出しランプ用リモコンＢから送信される信号のパターンを解錠用リモコンＡに記憶させることができる。
【００１１】
解錠用リモコンＡには、前記記憶した信号を、例えばメニューボタン４を押し、続いて２つの解錠ボタン１，２を同時に２秒以上長押しするなど、管理者の見知り得る隠しコマンド操作を実行することによって確定処理すれば、所定のボタン操作で前記記憶した信号を、予め記憶させてある識別信号と共に送信可能に設定されるようになっている。
即ち、単に記憶させただけでは、記憶させた信号のみしか送信されないので、管理者の許可なく他のリモコンの送信信号を記憶させても、本来の機能は発揮されず、乱用の防止策が図られている。
【００１２】
解錠用リモコン装置の受信機には、解錠信号を受信すると、解錠信号と共に受信した識別信号を検出する識別信号検出機能と、その検出された識別信号を許可された識別信号と照合し、両信号が合致した場合のみ、信号に対応した指令動作を許可する識別信号照合機能とが備えられている。
これら識別信号検出機能と識別信号照合機能とは、呼び出しランプ用リモコンの受信機には備えられていないが、呼び出しランプ用リモコンの受信機が、例えばリセット信号を受信すると、受信した信号が解錠用リモコン装置の受信機に送られ、そこで識別信号の検出と識別信号の照合とが実行され、その結果が呼び出しランプ用リモコンの受信機にフィードバックされるようになっていて、リセット信号にも、識別信号の結果が反映される。
【００１３】
前記実施例は、一方のリモコンである解錠用リモコンが、他方のリモコンである呼び出しランプ用リモコンから送信された信号をダイレクトに受信し、その受信した信号を記憶するようになっているので、セキュリテイの低い呼び出しランプ用リモコンに、解錠用リモコンの高いセキュリテイ機能を持たせることができるが、呼び出しランプ用リモコンが、固有の識別信号を照合する機能を備えていれば、一方のリモコンを呼び出しランプ用リモコンとし、他方のリモコンを解錠用リモコンとすることもできる。
又、一方のリモコンは、他方のリモコンから送信された送信データをダイレクトに受信して記憶させるばかりでなく、他方のリモコンから送信される信号のデータを、コンピュータを介して読み込んで記憶させるようにもでき、これには前もって信号のデータが焼き付けられているチップを装填するケースも含まれる。
【００１４】
解錠機構は、標準装備されているシリンダ錠のケース内に内蔵したモータで爪付きカムを回動させ、スライドプレートを上下にスライドさせる手動式と同様の機構を利用したタイプが好適利用でき、そのタイプでは、回転軸に取り付けたタイミングカムを介して、接触式スイッチ、光や磁気を利用した非接触式のセンサで検出したり、電流値や電圧値の変化により検出し、その検出結果を基にして爪付きカムの中立位置や回転角度を制御することができる。
又、本発明の遊技機用リモコン装置は、パチンコ機以外に、スロットマシン、パチスロなどにも適用でき、リモコンに設けられている押しボタンなどのスイッチの種類、数、配置など適宜変更して差し支えない。
更に、呼び出しランプ用リモコン装置の受信機と解錠用リモコン装置の受信部とを統合し、解錠信号を呼び出しランプ用リモコン装置の受信部で解錠信号を受信可能とするなど、リモコンを何れの受信部に向けて操作しても有効となるようにもできる。
【図面の簡単な説明】
【００１５】
【図１】リモコンの学習機能を実行するための操作例を示した説明図である。
【図２】信号の記憶が完了したリモコンの操作例を示した説明図である。
【図３】従来例の説明図である。
【符号の説明】
【００１６】
Ａ・・解錠用リモコン、Ｂ・・呼び出しランプ用リモコン、ａ・・（呼び出しランプユニットの）受信部、ｂ・・（解錠機構の）受信部、１．２・・解錠ボタン、３・・記憶ボタン、４・・メニューボタン、５・・リセットボタン。
【図１】
2006141879.tif 000003
【図２】
2006141879.tif 000004
【図３】
2006141879.tif 000005